(57)【要約】【課題】床剛性の低下や床鳴りを生じさせることなく、しかも環境汚染を生じされることもない、在来工法住宅における一階の床構造およびその施工方法を提供する。【解決手段】本発明の床構造Ｋは在来工法住宅の一階の床に適用される床構造Ｋであって、床下地板材１と、該床下地板材１を支持する鋼製大引２と、該鋼製大引２を支持する鋼製束３と、前記床下地板材１および鋼製大引２を断熱する断熱部材４とを備え、前記床下地板材１が根太を介することなく前記鋼製大引２に支持されてなるものである。この床構造Ｋの施工は、大引受け部材７および床下地板材を断熱する断熱部材４を受ける受け部材６を土台５に配設してなされる。【選択図】  図１
2005036437.tif 000002
【特許請求の範囲】
【請求項１】
在来工法住宅の一階の床に適用される床構造であって、
所定の厚さを有する床下地部材と、該床下地部材を支持する鋼製大引と、該鋼製大引を支持する鋼製束と、前記床下地部材および鋼製大引を断熱する断熱部材とを備え、
前記床下地部材が根太を介することなく前記鋼製大引に支持されてなることを特徴とする床構造。
【請求項２】
鋼製大引が底面および側面が断熱部材により被覆されてなることを特徴とする請求項１記載の床構造。
【請求項３】
鋼製大引の側面全面が断熱部材により被覆されてなることを特徴とする請求項２記載の床構造。
【請求項４】
床下地部材を断熱する断熱部材の厚みが鋼製大引の高さと一致させられてなることを特徴とする請求項３記載の床構造。
【請求項５】
床下地部材断熱部材の側縁が鋼製大引を被覆している断熱部材の上端面により支持されてなることを特徴とする請求項２記載の床構造。
【請求項６】
鋼製大引を被覆している断熱部材の鋼製束が配設される個所には窓が設けられ、その窓に硬質の断熱部材が配設されてなることを特徴とする請求項２記載の床構造。
【請求項７】
硬質の断熱部材の幅が鋼製大引の幅より広くされてなることを特徴とする請求項６記載の床構造。
【請求項８】
鋼製大引の上面に緩衝用フィルムが貼付されてなることを特徴とする請求項１記載の床構造。
【請求項９】
鋼製大引が自己補強型鋼製大引とされてなることを特徴とする請求項１記載の床構造。
【請求項１０】
鋼製大引が２材からなり、底面を構成する板材が他の面を構成する板材より厚くされてなることを特徴とする請求項９記載の床構造。
【請求項１１】
鋼製大引の各面が補強されてなることを特徴とする請求項９記載の床構造。
【請求項１２】
鋼製束が、レベル調整ボルトと、該ボルトの昇降をロックするナットとを有してなることを特徴とする請求項１記載の床構造。
【請求項１３】
鋼製束が、レベル調整ボルトの頭部をロックするナットを有してなることを特徴とする請求項１２記載の床構造。
【請求項１４】
ナットの端面に緩み防止加工がなされてなることを特徴とする請求項１３記載の床構造。
【請求項１５】
鋼製大引が鋼製束のレベル調整ボルトの頭部を格納する束取付け部材を有してなることを特徴とする請求項１３記載の床構造。
【請求項１６】
束取付け部材がボルトの頭部の回転を禁止するストッパーを有してなることを特徴とする請求項１５記載の床構造。
【請求項１７】
ストッパーが、束取付け部材の頭部格納部側壁を内方に突出させることにより形成されてなることを特徴とする請求項１６記載の床構造。
【請求項１８】
束取付け部材が、断熱部材受け部を有してなることを特徴とする請求項１５記載の床構造。
【請求項１９】
断熱部材受け部により鋼製大引を被覆している断熱部材が支持されてなることを特徴とする請求項１８記載の床構造。
【請求項２０】
断熱部材受け部により床下地部材を断熱している断熱部材が支持されてなることを特徴とする請求項１８記載の床構造。
【請求項２１】
鋼製大引の端部が、基礎部材に配設された大引受け部材により支持されてなることを特徴とする請求項１記載の床構造。
【請求項２２】
大引受け部材が、鋼製大引を被覆している断熱部材を載置する載置面を有してなることを特徴とする請求項２１記載の床構造。
【請求項２３】
床下地部材断熱部材の側縁が、基礎部材に配設された床下地部材断熱部材受け部材により支持されてなることを特徴とする請求項１記載の床構造。
【請求項２４】
床下地部材が厚物針葉樹合板とされてなることを特徴とする請求項１記載の床構造。
【請求項２５】
一部の鋼製大引のレベルが所定レベル下げられて、畳がフローリングなどの仕上床とバリアフリーに敷設されるようにされてなることを特徴とする請求項１記載の床構造。
【請求項２６】
床下地部材を土台に固定する止め金具と、床下地部材を鋼製大引に固定する止め金具とが同一タイプとされてなることを特徴とする請求項１記載の床構造。
【請求項２７】
在来工法住宅の一階の床に適用される床構造の施工方法であって、
大引受け部材と床下地部材を断熱する断熱部材を受ける断熱部材受け部材とを基礎部材に配設する手順と、
断熱材が被覆された大引受け部材に鋼製大引に支持させる手順と、
鋼製大引に鋼製束をセットしてそのレベル調整をなす手順と、
基礎部材と鋼製大引との間および鋼製大引間に床下地部材を断熱する断熱部材を配設する手順と、
基礎部材および鋼製大引に床下地部材を載置する手順
とを含んでいることを特徴とする床構造の施工方法。
【請求項２８】
鋼製束のレベル調整ボルトの頭部を鋼製大引側にロックする手順と、
前記レベル調整ボルトに下部ロックナットと昇降ナットとを螺着する手順
とを含んでいることを特徴とする請求項２７記載の床構造の施工方法。
【請求項２９】
床下地部材を土台に固定する工具と、床下地部材を鋼製大引に固定する工具とが同一タイプとされていることを特徴とする請求項２７記載の床構造の施工方法。
【請求項３０】
請求項１ないし請求項２６のいずれか一項に記載の床構造を備えてなることを特徴とする住宅。
【発明の詳細な説明】
【０００１】
【発明の属する技術分野】
本発明は床構造およびその施工方法に関する。さらに詳しくは、主として在来工法による住宅に適用する床構造およびその施工方法に関する。
【０００２】
【従来の技術】
近年、戸建て住宅（以下、単に住宅という）においては品質が安定しているなどの理由により、いわゆるプレハブ住宅が多くなってきているが、未だ、工務店により在来工法によって建てられる住宅（以下、在来工法住宅）が大半を占めているのが実情である。
【０００３】
かかる在来工法住宅における一階床構造は、木製大引に木製根太を配し、その上に構造用合板を配置してなるものとされる。
【０００４】
しかるに、木製大引および木製根太は木そのものを用いているため、木瘠せ、そり、あばれなどに起因する床剛性の低下や床鳴りなどの問題が生じている。
【０００５】
また、木製大引および木製根太は木そのものを用いているため、特に大引などは防腐・防蟻処理をする必要があるが、この防蟻処理に使用する薬剤は有害な性質を有しているため、その処理に際してはそれなりの安全対策を講ずる必要がある。そのため、施工の煩雑性および長期化を招来するばかりでなく、環境汚染を招来するおそれもあるという問題がある。
【０００６】
【発明が解決しようとする課題】
本発明はかかる従来技術の課題に鑑みなされたものであって、床剛性の低下や床鳴りを生じさせることなく、しかも環境汚染を生じさせることもない、在来工法住宅における一階の床構造およびその施工方法を提供することを目的としている。
【０００７】
【課題を解決するための手段】
本発明の床構造は、在来工法住宅の一階の床に適用される床構造であって、所定の厚さを有する床下地部材と、該床下地部材を支持する鋼製大引と、該鋼製大引を支持する鋼製束と、前記床下地部材および鋼製大引を断熱する断熱部材とを備え、前記床下地部材が根太を介することなく前記鋼製大引に支持されてなることを特徴とする。
【０００８】
本発明の床構造においては、鋼製大引が底面および側面が断熱部材により被覆されてなるのが好ましい。その場合、鋼製大引の側面全面が断熱部材により被覆されていてもよい。
【０００９】
また、本発明の床構造においては、床下地部材を断熱する断熱部材の厚みが鋼製大引の高さと一致させられていてもよい。
【００１０】
さらに、本発明の床構造においては、床下地部材断熱部材の側縁が鋼製大引を被覆している断熱部材の上端面により支持されていてもよい。
【００１１】
さらに、本発明の床構造においては、鋼製大引を被覆している断熱部材の鋼製束が配設される個所には窓が設けられ、その窓に硬質の断熱部材が配設されてなるのが好ましい。その場合、硬質の断熱部材の幅が鋼製大引の幅より広くされていてもよい。
【００１２】
さらに、本発明の床構造においては、鋼製大引の上面に緩衝用フィルムが貼付されていてもよい。
【００１３】
さらに、本発明の床構造においては、鋼製大引が自己補強型鋼製大引とされてなるのが好ましい。その場合、鋼製大引が２材からなり、底面を構成する板材が他の面を構成する板材より厚くされていたり、鋼製大引の各面が補強されていたりするのがさらに好ましい。
【００１４】
さらに、本発明の床構造においては、鋼製束が、レベル調整ボルトと、該ボルトの昇降をロックするナットとを有してなるのが好ましい。
【００１５】
さらに、本発明の床構造においては、鋼製束が、レベル調整ボルトの頭部をロックするナットを有してなるのが好ましい。その場合、ナットの端面に緩み防止加工がなされてなるのがさらに好ましい。
【００１６】
さらに、本発明の床構造においては、鋼製大引が鋼製束のレベル調整ボルトの頭部を格納する束取付け部材を有してなるのが好ましい。その場合、束取付け部材が、ボルトの頭部の回転を禁止するストッパーを有してなるのがさらに好ましい。ここで、前記ストッパーは、例えば束取付け部材の頭部格納部側壁を内方に突出させることにより形成される。
【００１７】
さらに、本発明の床構造においては、束取付け部材が、断熱部材受け部を有してなるのが好ましい。その場合、断熱部材受け部により鋼製大引を被覆している断熱部材が支持されてもよく、あるいは断熱部材受け部により床パネルを断熱している断熱部材が支持されてもよい。
【００１８】
さらに、本発明の床構造においては、鋼製大引の端部が、基礎部材に配設された大引受け部材により支持されてなるのが好ましい。その場合、大引受け部材が、鋼製大引を被覆している断熱部材を載置する載置面を有してなるのがさらに好ましい。
【００１９】
さらに、本発明の床構造においては、床下地部材断熱部材の側縁が、基礎部材に配設された床下地部材断熱部材受け部材により支持されてなるのが好ましい。
【００２０】
さらに、本発明の床構造においては、床下地部材が厚物針葉樹合板とされてなるのが好ましい。
【００２１】
さらに、本発明の床構造においては、一部の鋼製大引のレベルが所定レベル下げられて、畳がフローリングなどの仕上床とバリアフリーに敷設されるようにされてなるのが好ましい。
【００２２】
さらに、本発明の床構造においては、床下地部材を土台に固定するビスなどの止め金具と、床下地部材を鋼製大引に固定するビスなどの止め金具とが同一タイプとされてなるのが好ましい。
【００２３】
一方、本発明の床構造の施工方法は、在来工法住宅の一階の床構造に適用される床構造の施工方法であって、大引受け部材と床下地部材を断熱する断熱部材を受ける断熱部材受け部材とを基礎部材に配設する手順と、断熱材が被覆された大引受け部材に鋼製大引に支持させる手順と、鋼製大引に鋼製束をセットしてそのレベル調整をなす手順と、基礎部材と鋼製大引との間および鋼製大引間に床下地部材を断熱する断熱部材を配設する手順と、基礎部材および鋼製大引に床下地部材を載置する手順とを含んでいることを特徴とする。
【００２４】
本発明の床構造の施工方法においては、鋼製束のレベル調整ボルトの頭部を鋼製大引側にロックする手順と、前記レベル調整ボルトに下部ロックナットと昇降ナットとを螺着する手順とを含んでいるのが好ましい。
【００２５】
また、本発明の床構造の施工方法においては、床下地部材を土台に固定する工具と、床下地部材を鋼製大引に固定する工具とが同一タイプとされているのが好ましい。
【００２６】
しかして、本発明の床構造は住宅に適用される。
【００２７】
【作用】
本発明の床構造は、前記の如く構成されているので、大引や根太の木瘠せ、そり、あばれなどによる床剛性の低下や床鳴りを生ずるおそれはない。
【００２８】
また、大引が鋼製大引とされかつ木製根太が用いられていないので、防蟻処理をする必要がない。そのため、施工の安全性が向上するとともに、環境汚染を生ずるおそれもない。
【００２９】
さらに、床下地部材および鋼製大引が断熱部材により断熱されているので、いわゆる熱橋問題を生ずるおそれもなく、所望の断熱性能が確保される。
【００３０】
一方、本発明の床構造の施工方法は、前記の如く構成されているので、在来工法住宅の施工の安全性を向上させながら、施工期間の短縮が図られる。
【００３１】
【発明の実施の形態】
以下、添付図面を参照しながら本発明を実施形態に基づいて説明するが、本発明はかかる実施形態のみに限定されるものではない。
【００３２】
実施形態１
本発明の実施形態１に係る床構造、より具体的には充填断熱工法による床構造を図１に斜視図で示す。
【００３３】
床構造Ｋは、図１に示すように、床下地板材１と、床下地板材１を支持する鋼製大引２と、鋼製大引２を支持する鋼製束３と、床の断熱をする断熱部材４とを主要構成要素として備えてなるものとされる。
【００３４】
床下地板材１は、例えば所定厚さ（例えば２８ｍｍ厚さ）の針葉樹合板などの構造用合板、いわゆる厚物構造用合板とされる。床下地板材１の柱Ｃ部分に位置する角部は、図１に示すように、柱Ｃの角に合わせて適宜切り欠かれている。また、床下地板材１の布基礎Ｂ側の側縁は、図１に示すように、布基礎Ｂ上に配設されている土台５に載置されている。
【００３５】
鋼製大引２は、図２に示すように、底面２ａを構成する第１材２１と、両側２ｂ，２ｂおよび上面２ｃを構成する第２材２２とを底面２ａの両側部でかしめてなるものとされる。このかしめられた部分は４層となるので、自身で曲げに対する補強がなされることになる。つまり、鋼製大引２は、自己補強型鋼製大引となる。
【００３６】
鋼製大引２は、前掲の如く２材で構成されているので、強度を必要とする底面２ａの板厚を厚くでき、その他の面２ｂ，２ｃの板厚を薄くできる。そのため、サイズの小型化および軽量化を図りながら所望の強度とすることができる。例えば、鋼製大引２のサイズを６０ｍｍＸ６０ｍｍ角とし、底面２ａの板厚を１．０ｍｍとし、両側面２ｂ，２ｂおよび上面２ｃの板厚を０．８ｍｍとすることにより、従来の９０ｍｍＸ９０ｍｍ角サイズの木製大引に比して１ｍ当り約２ｋｇの軽量化が図られる。また、鋼製大引２のサイズを小型化できることにより、その表面積つまり伝熱面積を減少させることができて、いわゆる熱橋問題の対策も容易となる。また、鋼製大引２には亜鉛メッキなどの防錆処理がなされている。
【００３７】
さらに、鋼製大引２の底面２ａ、両側面２ｂ，２ｂおよび上面２ｃは、図２に示すように、適宜凹凸が形成されて面自体の剛性が高められてその補強もなされている。これにより、鋼製大引２の小サイズ化が促進される。
【００３８】
鋼製束３は、図３に示すように、上端部にターンブッシュ３２が配設され下端部にベースプレート３３が配設された円筒体からなる束本体３１と、前記ターンブッシュ３２に装着されたレベル調整ボルト３４と、前記レベル調整ボルト３４を昇降させる昇降ナット３５と、前記昇降ナット３５を格納する格納部３６ａを下端部に有する下部ロックナット３６と、上端面にロッキングセレーション加工がなされてボルト頭部３４ａをロックする上部ロックナット３７とを有するものとされる。昇降ナット３５、下部ロックナット３６および上部ロックナット３７は、レベル調整ボルト３４の下端からこの順で同レベル調整ボルト３４に螺着される。この鋼製束３にも所定の防錆がなされている。
【００３９】
断熱部材４は例えば押出し法ポリスチレンホームからなるものとされ、床下地板材１裏面に配設されてその断熱をなす床下地板材断熱部材４Ａと、鋼製大引２下部に外嵌され、つまり鋼製大引２下部を被覆してその断熱をなす大引断熱部材４Ｂとを含むものとされる。
【００４０】
以下、本実施形態に係る床構造Ｋの詳細について説明する。
【００４１】
図４に、鋼製大引２回りの部材を分解して示す。鋼製大引２回りの部材は、図４に示すように、鋼製大引上面２ｃに貼付される例えば合成樹脂からなる緩衝用フィルム２３と、鋼製大引２下部に外嵌される溝状体とされた大引断熱部材４Ｂと、大引断熱部材４Ｂの底面に鋼製束３の取付位置に対応させて設けられた窓４１に装着される例えばパッーティクルボードからなる硬質の束受け断熱部材２４と、束受け断熱部材２４の下面（土間に面する面）に装着される束取付け部材２５とを含むものとされる。なお、緩衝用フィルム２３は、必要に応じて設けられればよい。
【００４２】
図５に、束取付け部材２５を詳細に示す。束取付け部材２５は、図５に示すように概略長方形状とされた金属平板を例えばプレス成形してなるものとされる。すなわち、束取付け部材２５は、中央部に円形状に突出成形されたレベル調整ボルト３４の頭部３４ａを格納するボルト頭部格納部２５ａと、ボルト頭部格納部２５ａ底面にボルト頭部３４ａに対応させて形成されたボルト頭部３４ａを挿通させるボルト頭部挿通透孔２５ｂと、ボルト頭部格納部２５ａの周囲に適宜配置により形成されたドリルねじ挿通透孔２５ｃと、長手方向両端部に耳状に形成された断熱部材受け部２５ｄとを有するものとされる。
【００４３】
ボルト頭部格納２５ａ部内周面には、レベル調整ボルト３４の頭部３４ａが所定角度例えば９０度回転させられたときに、それ以上の回転を防止するストッパー２５ｅが一対対向させて配設されている。このストッパー２５ｅの配設は、例えばボルト頭部格納部２５ａ側壁の対応位置を内方に向けて突出させることによりなされる。
【００４４】
この束取付け部材２５の鋼製大引２への取付けは、図６に示すように、例えばその長手方向を鋼製大引２の長手方向に一致させ束取付け部材２５内面を束受け断熱部材２４に当接させた状態で、つまりボルト頭部格納部２５ａを突出させた状態で、前記ドリルねじ挿通透孔２５ｃからドリルねＳＢを挿通し、そのドリルねじＳＢ先端を鋼製大引２内に貫通させ、ドリルねじＳＢを鋼製大引２の底面２ａに螺着させることによりなされる。束取付け部材２５をかかる態様で取付けることにより、鋼製大引２と鋼製束３との間のいわゆる熱橋問題を防止し、かつ断熱部材受け部２５ｄで大引断熱部材４Ｂに設けられた窓縁４２を受けることができる。
【００４５】
また、束取付け部材２５が取付けられた鋼製大引２への鋼製束３の取付けは、例えば図７に示すＴボルト（レベル調整ボルト）３４に図８に示すロッキングセレーション３７ａ付ナット（上部ロックナット）３７を螺着し、ついでＴボルト頭部３４ａを束取付け部材２５に設けられたボルト頭部挿通透孔２５ｂからボルト頭部３４ａをボルト頭部格納部２５ａに挿通してストッパー２５ｅに当接するまで回転させる。この状態で上部ロックナット３７をボルト頭部３４ａに向けて螺進させて締め込む。（これにより、ボルト頭部３４ａは、束受け断熱部材２４とボルト頭部格納部２５ａ底面とにより挾持されてその回転が防止される。つまり、レベル調整ボルト３４がロックされた状態で鋼製大引２への取付けがなされる。また、上部ロックナット３７は、ボルト頭部格納部２５ａ底面と当接する端面にロッキングセレーション３７ａなどの緩み防止部が形成されているので、その緩みが防止されてレベル調整ボルト３４のロックが維持される。）しかる後、このレベル調整ボルト３４に下部ロックナット３６を螺着し、ついで昇降ナット３５を螺着することにより束本体３１の装着がなされる。
【００４６】
図９に、組付けが完了した状態の床構造Ｋを示す。なお、図９中の符号ＢＳは通気パッキンが介装されるスペースを示し、符号Ｆはフローリングなどの仕上床を示し、符号ＮＤは釘を示し、符号ＷＳは木ねじを示す。
【００４７】
組付けが完了した状態の床構造Ｋは、図１および図９に示すように、土台５に設けられた床下地板材断熱部材受け金具（受け部材）６と、鋼製大引２に装着された大引断熱部材４Ｂの上端面４３とにより床下地板材断熱部材４Ａを支持し、その状態で例えば土台５と鋼製大引２との間もしくは鋼製大引２，２間に床下地板材１を配設してなるものとされる。このため、大引断熱部材４Ｂの上端面４３の位置は、鋼製大引２の上面２ｃとの間に床下地板材断熱部材４Ａが配設されるように調整されている。
【００４８】
図１０および図１１に床下地板材断熱部材受け金具６により床下地板材断熱部材４Ａを受けている状態を示す。また、図１２〜図１４に床下地板材断熱部材受け金具６の詳細を示す。
【００４９】
床下地板材断熱部材受け金具６は、例えば金属平板を折り曲げ加工してなるものであって、土台５側面に当接する当接面６１と、土台５側面に打ち込まれて床下地板材断熱部材受け金具６を土台５側面に固定する一対の固定爪６２，６２と、床下地板材断熱部材４Ａが載置される断熱部材載置面６３と、床下地板材断熱部材４Ａに打ち込まれて床下地板材断熱部材４Ａを固定する断熱部材固定爪６４，６４とを有するものとされる。床下地板材断熱部材受け金具６は、具体的には図１２〜図１４に示すように形成されている。
【００５０】
すなわち、当接面６１は扁平Ｔ字状とされ、そのＴ字の垂直部下端部の両側から固定爪６２が垂直に延伸形成されている。この固定爪６２の先端部は概略Ｖ字状とされ、またこの固定爪６２の側面には平やじり状とされた戻り防止部６２ａが数段形成されている。断熱部材載置面６３はＴ字状とされた当接面の水平部上端から固定爪６２とは反対方向に垂直に延伸形成されてなるものであって、中央に位置する中央載置面６３ａと、この中央載置面６３ａの両側に位置する側部載置面６３ｂ，６３ｂとを含むものとされる。この側部載置面６３ｂは途中から起立されられて断熱部材固定爪６４とされている。この断熱部材固定爪６４の先端部もＶ字状とされている。また、当接面６１のほぼ中央に木ねじＷＳをねじ込むための透孔６１ａが形成されている。
【００５１】
図１５に大引受け金具（受け部材）７により鋼製大引２を受けている状態を示す。また、図１６に大引受け金具７の詳細を示す。
【００５２】
大引受け金具７は、例えば金属平板を折り曲げ加工してなるものであって、土台５側面に当接する当接面７１と、土台５側面に打ち込まれて大引受け金具７を土台５側面に仮固定する一対の仮固定爪７２，７２と、鋼製大引２に外嵌されている大引断熱部材４Ｂを受ける断熱部材受け面７３と、鋼製大引２両側端部を係止する一対の係止面７４，７４とを有するものとされる。大引受け金具７は、具体的には図１６に示すように形成されている。
【００５３】
すなわち、当接面７１は中央部に凸状の打ち抜きを有する平板とされ、その両側上端の適宜位置から仮固定爪７２，７２が垂設され、かつ上部両側端から前記仮固定爪７２とは反対方向に係止面７４，７４が垂設され、また凸状の打ち抜き底部から所定幅で断熱部材受け面７３が前記係止面７４と同一方向に垂設されている。また、図１６に示すように、当接面７１の各上部には木ねじＷＳをねじ込むための透孔７１ａが２個適宜配列により形成され、各下部角部には木ねじＷＳをねじ込むため透孔７１ｂが形成され、また係止面７４にはドリルねじＳＢを挿通するための透孔７４ａが２個適宜配列により形成されている。
【００５４】
次に、図１７〜図２１を参照しながら、かかる構成とされている床構造Ｋの施工について説明する。
【００５５】
（１）土台５に柱Ｃなどを建てて一階の軸組みを完成させる（図１７参照）。
【００５６】
（２）鋼製大引２が配設される個所の土台５側面に大引受け金具７を配設するとともに、土台５側面に床下地板材断熱部材受け金具６を適宜間隔で配設する（図１８参照）。つまり、仮固定爪７２を土台５側面に打ち込んで大引受け金具７を仮固定した後に透孔７１ａ，７１ｂから木ねじＷＳをねじ込んで大引受け金具７を固定するとともに、固定爪６２を土台５側面に打ち込んで床下地板材断熱部材受け金具６を仮固定した後に透孔６１ａから木ねじＷＳをねじ込んで床下地板材断熱部材受け金具６を固定する。この場合、大引受け金具７は鋼製大引２の上面２ｃが土台５上面と面一となるようにその取付け位置が調整される。
【００５７】
（３）大引受け金具７に鋼製大引２を受けた（支持した）状態で、透孔７４ａからドリルねじＳＢを挿通して鋼製大引２の端部側面２ｂを係止面７４に係止した後、鋼製束３のレベル調整を行う（図１９参照）。つまり、レベル調整ボルト３４を上部ロックナット３７により束取付け部材２５にロックし、ついで昇降ナット３５によりレベル調整ボルト３４を昇降させてレベル調整を行って下部ロックナット３６によりロックをした後、常法により鋼製束３のベースプレート３３を土間コンに固定する。
【００５８】
（４）土台５と鋼製大引２との間、および鋼製大引２，２間に床下地板材断熱部材４Ａを配設する（図２０参照）。この場合、床下地板材断熱部材４Ａの土台５側の側縁下面は床下地板材断熱部材受け金具６の載置面６３に載置されるとともに、断熱部材固定爪６４が打ち込まれてその位置ずれの防止が図られる一方、床下地板材断熱部材４Ａの鋼製大引２側の側縁下面は大引断熱部材４Ｂの上端面４３に載置される。
【００５９】
（５）床下地板材１を鋼製大引２の配列方向に直交させて敷設する（図２１）。この場合、床下地板材１の土台５側の側縁は土台５に釘ＮＤにより固定される一方、床下地板材１の鋼製大引２に位置する部分は鋼製大引２にドリルねじＳＢにより固定される（図９参照）。
【００６０】
なお、床下地板材１は図１に示すように、鋼製大引２と平行に配設されてもよい。また、施工工具の共用化を図る観点から釘ＮＤを廃止し、床下地板材１をドリルねじＳＢにより土台５に固定するようにしてもよい。
【００６１】
以上のようにして、床構造Ｋの施工が完了し、ついでフローリングＦなどがなされて一階の床が完成する。
【００６２】
このように、この実施形態１の床構造Ｋによれば、次のようなメリットが得らる。
【００６３】
（１）木質系は床下地板材１に限定され、しかもそれが構造用合板とされているので、木瘠せ、そり、あばれなどによる床剛性の低下や床鳴りが回避される。
【００６４】
（２）大引を鋼製大引２とし、しかもそれを自己補強型としているので、鋼製大引２の小サイズ化および軽量化が図られる。
【００６５】
（３）鋼製大引２下部を断熱材で被覆しているので、熱橋問題を生ずるおそれはない。また、鋼製大引２の小サイズ化が図られているので、断熱材で被覆する範囲が少なくてよい。
【００６６】
（４）鋼製大引２と鋼製束３との接合部には硬質断熱材が介装されているので、その接合部において熱橋問題を生ずるおそれはない。また、鋼製大引２と鋼製束３との接合は、鋼製大引２側に設けられた取付け部材２５に鋼製束３のレベル調整ボルト頭部３４を差し込んで、上部ロックナット３７によりロックするだけで接合がなし得る。そのため、施工の簡素化が図られる。
【００６７】
（５）大引や束が鋼製とされ、それらが所定の防錆処理がなされているので、床の施工工程において特段に防錆処理や防蟻処理をする必要がない。そのため、施工の簡素化および工期の短縮が図られる。
【００６８】
（６）以上のことより、床剛性の向上、床の耐久性の向上、その低コスト化、短納期化、施工の安全性の向上などが図られるとともに、環境汚染も回避される。
【００６９】
実施形態２
本発明の実施形態２に係る床構造Ｋ１の要部を図２２および図２３に示す。この実施形態２は実施形態１を改変してなるものであって、実施形態１に係るフローリングＦの床部分と畳Ｔの部分とをバリアフリーに構成してなるものである。そのため、鋼製大引２の取付け位置を畳Ｔ表面がフローリングＦ表面に一致するように調整されている。つまり、図２２に示すように、畳Ｔの部分に配設される鋼製大引２のレベルが所定レベル下げられてなるものである。なお、図中の符号Ｐは畳下板を示し、符号Ｓは敷居を示す。
【００７０】
なお、その余の構成は実施形態１と同様とされているので、その詳細な説明は省略する。
【００７１】
このように、この実施形態２によれば、洋室と和室とをバリアフリーに構成できるという実施形態１では得られない効果も得られる。
【００７２】
以上、本発明を実施形態に基づいて説明してきたが、本発明はかかる実施形態のみに限定されるものではなく、種々改変が可能である。例えば、実施形態１，２では、大引断熱部材４Ｂは鋼製大引２の下部に外嵌されているが、要求される断熱性能に応じて、例えば図２４（ａ）および（ｃ）に点線で示すように、大引断熱部材４Ｂの上端面４３を鋼製大引２の上面２ｃに一致させ、また床下地板材断熱材４Ａの厚みも、図２４（ｄ）に示すように鋼製大引２の高さと一致させ、その断熱効果を高めるようにしてもよい。その場合、図２４（ｅ）に示すように、束取付け部材２５をその長手方向を鋼製大引２の長手方向に直交させて取付け、その断熱部材受け部２５ｄで床下地板材断熱材４Ａを受けるようにしてもよい。あるいは、図２５に示すように、束受け断熱部材２４の幅を鋼製大引２の幅よりも大きくして、その鋼製大引２からはみ出した部分で床下地板材断熱材４Ａを受けるようにしてもよい。
【００７３】
また、実施形態では床構造として充填断熱工法によるものを例に取り説明されているが、断熱部材を除去することにより、基礎断熱工法の床構造についても適用することができることはいうまでもない。
【００７４】
【発明の効果】
以上詳述したように、本発明の床構造によれば、大引や根太の木瘠せ、そり、あばれなどによる床剛性の低下や床鳴りを生ずるおそれはないという優れた効果が得られる。
【００７５】
また、大引が鋼製大引とされかつ木製根太が用いられていないので、防蟻処理をする必要がないため、施工の安全性が向上するとともに、環境汚染を生ずるおそれもないという優れた効果が得られる。
【００７６】
さらに、床下地部材および鋼製大引が断熱部材により断熱されているので、いわゆる熱橋問題を生ずるおそれもなく、所望の断熱性能が確保されるという優れた効果が得られる。
【００７７】
一方、本発明の床構造の施工方法は、前記の如く構成されているので、在来工法住宅の施工の安全性を向上させながら、施工期間の短縮が図られるという優れた効果が得られる。
【図面の簡単な説明】
【図１】本発明の実施形態１に係る床構造の斜視図である。
【図２】同床構造に使用される鋼製大引の正面図である。
【図３】同鋼製束の正面図である。
【図４】鋼製大引回りの部材を分解して示す斜視図である。
【図５】束取付け部材の詳細図であって、同（ａ）は一部を断面で示す正面図であり、同（ｂ）は平面図である。
【図６】束取付け部材が取付けられた鋼製大引の３面図であって、同（ａ）は正面図を示し、同（ｂ）は底面図を示し、同（ｃ）は側面図を示す。
【図７】Ｔボルトの２面図であって、同（ａ）は正面図を示し、同（ｂ）は底面図を示す。
【図８】ロッキングセレーション付ナットの３面図であって、同（ａ）は平面図を示し、同（ｂ）は一部を断面で示す正面図を示し、同（ｃ）は底面図を示す。
【図９】組付けが完了した状態の床構造の断面図である。
【図１０】同床下地板材断熱部材受け部の正面図である。
【図１１】図側面図である。
【図１２】床下地板材断熱部材受け金具の正面図である。
【図１３】同平面図である。
【図１４】同側面図である。
【図１５】同大引受け部の正面図である。
【図１６】大引受け金具の２面図であって、同（ａ）は正面図を示し、同（ｂ）は側面図を示す。
【図１７】本発明の実施形態１に係る床構造の施工手順を示す説明図であって、一階の軸組みが完成した状態を示す。
【図１８】本発明の実施形態１に係る床構造の施工手順を示す説明図であって、土台に受け金具が配設された状態を示す。
【図１９】本発明の実施形態１に係る床構造の施工手順を示す説明図であって、鋼製大引が配設された状態を示す。
【図２０】本発明の実施形態１に係る床構造の施工手順を示す説明図であって、床下地板材断熱部材が配設された状態を示す。
【図２１】本発明の実施形態１に係る床構造の施工手順を示す説明図であって、床下地板材が配設された状態を示す。
【図２２】本発明の実施形態２に係る床構造の要部正面図である。
【図２３】同要部側面図である。
【図２４】本発明の床構造の変形例の一例の概略図である。
【図２５】同他の例の概略図である。
【符号の説明】
１        床下地板材
２        鋼製大引
２４      束受け断熱部材
２５      束取付け部材
３        鋼製束
３３      ベースプレート
３４      レベル調整ボルト、Ｔボルト
４        断熱部材
４Ａ      床下地板材断熱部材
４Ｂ      大引断熱部材
５        土台
６        床下地板材断熱部材受け金具、受け部材
７        大引受け金具、受け部材
Ｋ        床構造
Ｂ        布基礎
Ｃ        柱
Ｐ        畳
【図１】
2005036437.tif 000003
【図２】
2005036437.tif 000004
【図３】
2005036437.tif 000005
【図４】
2005036437.tif 000006
【図５】
2005036437.tif 000007
【図６】
2005036437.tif 000008
【図７】
2005036437.tif 000009
【図８】
2005036437.tif 000010
【図９】
2005036437.tif 000011
【図１０】
2005036437.tif 000012
【図１１】
2005036437.tif 000013
【図１２】
2005036437.tif 000014
【図１３】
2005036437.tif 000015
【図１４】
2005036437.tif 000016
【図１５】
2005036437.tif 000017
【図１６】
2005036437.tif 000018
【図１７】
2005036437.tif 000019
【図１８】
2005036437.tif 000020
【図１９】
2005036437.tif 000021
【図２０】
2005036437.tif 000022
【図２１】
2005036437.tif 000023
【図２２】
2005036437.tif 000024
【図２３】
2005036437.tif 000025
【図２４】
2005036437.tif 000026
【図２５】
2005036437.tif 000027
【手続補正書】
【提出日】平成15年12月1日(2003.12.1)
【手続補正１】
【補正対象書類名】明細書
【補正対象項目名】特許請求の範囲
【補正方法】変更
【補正の内容】
【特許請求の範囲】
【請求項１】
在来工法住宅の一階の床に適用される床構造であって、  所定の厚さを有する床下地部材と、該床下地部材を支持する鋼製大引と、該鋼製大引を支持する鋼製束と、前記床下地部材および鋼製大引を断熱する断熱部材とを備え、
前記床下地部材が根太を介することなく前記鋼製大引に支持されてなることを特徴とする床構造。
【請求項２】
鋼製大引が底面および側面が断熱部材により被覆されてなることを特徴とする請求項１記載の床構造。
【請求項３】
鋼製大引の側面全面が断熱部材により被覆されてなることを特徴とする請求項２記載の床構造。
【請求項４】
床下地部材を断熱する断熱部材の厚みが鋼製大引の高さと一致させられてなることを特徴とする請求項３記載の床構造。
【請求項５】
床下地部材断熱部材の側縁が鋼製大引を被覆している断熱部材の上端面により支持されてなることを特徴とする請求項２記載の床構造。
【請求項６】
鋼製大引を被覆している断熱部材の鋼製束が配設される個所には窓が設けられ、その窓に硬質の断熱部材が配設されてなることを特徴とする請求項２記載の床構造。
【請求項７】
硬質の断熱部材の幅が鋼製大引の幅より広くされてなることを特徴とする請求項６記載の床構造。
【請求項８】
鋼製大引の上面に緩衝用フィルムが貼付されてなることを特徴とする請求項１記載の床構造。
【請求項９】
鋼製大引が自己補強型鋼製大引とされてなることを特徴とする請求項１記載の床構造。
【請求項１０】
鋼製大引が２材からなり、底面を構成する板材が他の面を構成する板材より厚くされてなることを特徴とする請求項９記載の床構造。
【請求項１１】
鋼製大引の各面が補強されてなることを特徴とする請求項９記載の床構造。
【請求項１２】
鋼製束が、レベル調整ボルトと、該ボルトの昇降をロックするナットとを有してなることを特徴とする請求項１記載の床構造。
【請求項１３】
鋼製束が、レベル調整ボルトの頭部をロックするナットを有してなることを特徴とする請求項１２記載の床構造。
【請求項１４】
ナットの端面に緩み防止加工がなされてなることを特徴とする請求項１３記載の床構造。
【請求項１５】
鋼製大引が鋼製束のレベル調整ボルトの頭部を格納する束取付け部材を有してなることを特徴とする請求項１３記載の床構造。
【請求項１６】
束取付け部材がボルトの頭部の回転を禁止するストッパーを有してなることを特徴とする請求項１５記載の床構造。
【請求項１７】
ストッパーが、束取付け部材の頭部格納部側壁を内方に突出させることにより形成されてなることを特徴とする請求項１６記載の床構造。
【請求項１８】
束取付け部材が、断熱部材受け部を有してなることを特徴とする請求項１５記載の床構造。
【請求項１９】
断熱部材受け部により鋼製大引を被覆している断熱部材が支持されてなることを特徴とする請求項１８記載の床構造。
【請求項２０】
断熱部材受け部により床下地部材を断熱している断熱部材が支持されてなることを特徴とする請求項１８記載の床構造。
【請求項２１】
鋼製大引の端部が、土台に配設された大引受け部材により支持されてなることを特徴とする請求項１記載の床構造。
【請求項２２】
大引受け部材が、鋼製大引を被覆している断熱部材を載置する載置面を有してなることを特徴とする請求項２１記載の床構造。
【請求項２３】
床下地部材断熱部材の側縁が、土台に配設された床下地部材断熱部材受け部材により支持されてなることを特徴とする請求項１記載の床構造。
【請求項２４】
床下地部材が厚物針葉樹合板とされてなることを特徴とする請求項１記載の床構造。
【請求項２５】
一部の鋼製大引のレベルが所定レベル下げられて、畳がフローリングなどの仕上床とバリアフリーに敷設されるようにされてなることを特徴とする請求項１記載の床構造。
【請求項２６】
床下地部材を土台に固定する止め金具と、床下地部材を鋼製大引に固定する止め金具とが同一タイプとされてなることを特徴とする請求項１記載の床構造。
【請求項２７】
在来工法住宅の一階の床に適用される床構造の施工方法であって、
大引受け部材と床下地部材を断熱する断熱部材を受ける断熱部材受け部材とを土台に配設する手順と、
断熱材が被覆された大引受け部材に鋼製大引に支持させる手順と、
鋼製大引に鋼製束をセットしてそのレベル調整をなす手順と、
土台と鋼製大引との間および鋼製大引間に床下地部材を断熱する断熱部材を配設する手順と、
土台および鋼製大引に床下地部材を載置する手順
とを含んでいることを特徴とする床構造の施工方法。
【請求項２８】
鋼製束のレベル調整ボルトの頭部を鋼製大引側にロックする手順と、
前記レベル調整ボルトに下部ロックナットと昇降ナットとを螺着する手順
とを含んでいることを特徴とする請求項２７記載の床構造の施工方法。
【請求項２９】
床下地部材を土台に固定する工具と、床下地部材を鋼製大引に固定する工具とが同一タイプとされていることを特徴とする請求項２７記載の床構造の施工方法。
【請求項３０】
請求項１ないし請求項２６のいずれか一項に記載の床構造を備えてなることを特徴とする住宅。
【手続補正２】
【補正対象書類名】明細書
【補正対象項目名】００１８
【補正方法】変更
【補正の内容】
【００１８】
さらに、本発明の床構造においては、鋼製大引の端部が、土台に配設された大引受け部材により支持されてなるのが好ましい。その場合、大引受け部材が、鋼製大引を被覆している断熱部材を載置する載置面を有してなるのがさらに好ましい。


【手続補正３】
【補正対象書類名】明細書
【補正対象項目名】００１９
【補正方法】変更
【補正の内容】
【００１９】
さらに、本発明の床構造においては、床下地部材断熱部材の側縁が、土台に配設された床下地部材断熱部材受け部材により支持されてなるのが好ましい。


【手続補正４】
【補正対象書類名】明細書
【補正対象項目名】００２３
【補正方法】変更
【補正の内容】
【００２３】
一方、本発明の床構造の施工方法は、在来工法住宅の一階の床構造に適用される床構造の施工方法であって、大引受け部材と床下地部材を断熱する断熱部材を受ける断熱部材受け部材とを土台に配設する手順と、断熱材が被覆された大引受け部材に鋼製大引に支持させる手順と、鋼製大引に鋼製束をセットしてそのレベル調整をなす手順と、土台と鋼製大引との間および鋼製大引間に床下地部材を断熱する断熱部材を配設する手順と、土台および鋼製大引に床下地部材を載置する手順とを含んでいることを特徴とする。